(57)【特許請求の範囲】
【請求項１】
金属製板バネで構成された支持部材の先端部に弾性体で構成された当接部材が接着剤によって接着されたクリーニング部材を用い、このクリーニング部材における当接部材を、像保持部材の移動方向と逆方向に向かうようにして像保持部材の表面に当接させて、像保持部材の表面における残留物を除去するクリーニング装置において、前記の当接部材の先端部が支持部材の先端よりも突出するようにして、前記の当接部材を支持部材の先端部に接着させると共に、この当接部材の先端側におけるエッジ部を像保持部材の表面に当接させ、前記の支持部材の先端が、前記のエッジ部が当接する位置における像保持部材の法線よりも像保持部材の移動方向上流側に超えるようにすると共に、像保持部材の表面に当接させる前記の当接部材におけるエッジ部の角度を９０°を超える角度にしたことを特徴とするクリーニング装置。
【請求項２】
請求項１に記載したクリーニング装置において、支持部材の先端から突出する前記の当接部材の先端部の長さが０．４ｍｍ以上であることを特徴とするクリーニング装置。
【請求項３】
請求項１又は請求項２に記載したクリーニング装置において、前記の当接部材におけるエッジ部の角度をα（°）、当接部材のエッジ部を当接させた位置における像保持部材の接線と、前記のエッジ部から像保持部材の移動方向下流側に向かう当接部材の下流側対向面との間の当接角をθ（°）、当接部材の厚みをｔ（ｍｍ）とした場合に、
［ｔａｎθ＋ｔａｎ（α−９０°）］×ｔ≧０．４
の条件を満たすことを特徴とするクリーニング装置。
【請求項４】
請求項３に記載したクリーニング装置において、前記の当接角θ（°）を１０°〜２０°の範囲にしたことを特徴とするクリーニング装置。
【請求項５】
像保持部材の表面における残留物を除去するクリーニング装置を備えた画像形成装置において、請求項１〜請求項４の何れか１項に記載のクリーニング装置を用いたことを特徴とする画像形成装置。
【発明の詳細な説明】
【技術分野】
【０００１】
本発明は、像保持部材の表面におけるトナー等の残留物をクリーニング部材によって除去するようにしたクリーニング装置及びこのようなクリーニング装置を用いた画像形成装置に関するものである。特に、金属製板バネで構成された支持部材の先端部に、弾性体で構成された当接部材を接着剤によって接着させたクリーニング部材を用い、このクリーニング部材における当接部材を、像保持部材の移動方向と逆方向に向かうようにして像保持部材の表面に当接させて、像保持部材の表面における残留物を除去するにあたり、前記の当接部材を支持部材により像保持部材の表面に安定して十分な当接圧で当接できるようにすると共に、像保持部材の表面に当接させた当接部材の端面に溜まる残留物の量が当接部材の長手方向において変動するのを防止し、像保持部材の表面における残留物を長期にわたって適切に除去できるようにした点に特徴を有するものである。
【背景技術】
【０００２】
従来から、複写機，プリンター，ファクシミリ及びこれらの複合機などの画像形成装置においては、表面にトナー画像を保持して移動する像保持部材からトナー画像を転写させた後、この像保持部材の表面に残留するトナー等の残留物を、クリーニング装置によって像保持部材の表面から除去することが行われている。例えば、感光体に形成されたトナー画像を中間転写ベルト等の中間転写体や記録シートに転写させた後、この感光体の表面に残留するトナー等の残留物をクリーニング装置によって除去させ、或いは、中間転写体に転写されたトナー画像を記録シートに転写させた後、この中間転写体の表面に残留するトナー等の残留物をクリーニング装置によって除去させることが行われている。
【０００３】
そして、このようなクリーニング装置２としては、図１（Ａ）に示すように、トナー画像を転写させた後の像保持部材１の表面に対して、ウレタン等の弾性材料で構成された板状のクリーニングブレードからなるクリーニング部材３の先端部を、像保持部材１の移動方向と逆方向に向かうように当接させて、像保持部材１の表面に残留するトナー等の残留物ｔを、このクリーニング部材３によって像保持部材１の表面から除去するようにしたものが広く利用されている。
【０００４】
ここで、このように弾性材料で構成された板状のクリーニング部材３の先端部を像保持部材１の表面に圧接させて、像保持部材１の表面に残留しているトナー等の残留物ｔを除去する場合、クリーニング部材３の先端部と像保持部材１との間に一定量の残留物ｔがせき止められて保持され、このように保持された残留物ｔが潤滑材の役割を果たし、これによりクリーニング部材３の先端部と像保持部材１との間の摩擦抵抗が軽減されるようになっている。
【０００５】
しかし、低ガバレッジの画像形成が続けて行われ、クリーニング部材３の先端部と像保持部材１との間に保持される残留物ｔの量が減少したり、また温度や湿度等の環境条件が変化したりして、クリーニング部材３の先端部と像保持部材１との間の摩擦抵抗が増加すると、像保持部材１とクリーニング部材３の先端部との間の摩擦力により、クリーニング部材３の先端部が移動する像保持部材１によって引っ張られ、図１（Ｂ）に示すように、クリーニング部材３の先端部が反転して、クリーニング部材３にめくれが生じるようになった。
【０００６】
この結果、像保持部材１の表面に残留しているトナー等の残留物ｔを前記のようなクリーニング部材３によって適切に除去することができなくなったり、像保持部材１に負荷が加わって、像保持部材１の表面が傷ついたり、像保持部材１の移動に不良が生じたりするという問題があった。
【０００７】
また、従来においては、特許文献１に示されるように、金属製板バネで構成された支持部材の先端部から弾性体で構成された当接部材を突出させるようにして、支持部材の先端部に当接部材を接着剤で接着させたクリーニング部材や、特許文献２に示されるように、金属製板バネで構成された支持部材の先端部が弾性体で構成された当接部材よりも突出するようにして、当接部材を支持部材の先端から少し離れた位置に接着剤で接着させたクリーニング部材を用い、このようなクリーニング部材における当接部材を、像保持部材の移動方向と逆方向に向かうようにして像保持部材の表面に当接させて、像保持部材の表面に残留するトナー等の残留物を除去するようにしたものが提案されている。
【０００８】
ここで、特許文献１に示されるクリーニング部材を用いる場合において、図２に示すように、金属製板バネで構成された支持部材３ａの先端から弾性体で構成された当接部材３ｂを突出させるようにして、当接部材３ｂを支持部材３ａの先端部に接着剤３ｃにより接着させるにあたり、支持部材３ａの先端から突出される当接部材３ｂの長さが長くなると、経時により変形し、支持部材３ａを介して当接部材３ｂを像保持部材１の表面に十分な圧力で当接させることが困難になり、像保持部材の表面に残留しているトナー等の残留物ｔを適切に除去することができなくなるという問題があった。一方、このような圧力低下を防ぐために、当接部材３ｂを像保持部材１の表面に当接させる圧力を高くすると、前記の弾性材料で構成された板状のクリーニング部材の場合と同様に、像保持部材１と当接部材３ｂの先端部との間の摩擦力により、当接部材３ｂの先端部が移動する像保持部材１によって引き込まれて捲れが生じ、像保持部材の表面に残留しているトナー等の残留物ｔを適切に除去することができなくなったり、像保持部材１の表面が傷ついたり、像保持部材１の移動に不良が生じたりするという問題があった。
【０００９】
また、特許文献２に示されるクリーニング部材を用いる場合において、図３（Ａ）に示すように、金属製板バネで構成された支持部材３ａの先端部が、弾性体で構成された当接部材３ｂよりも突出するようにして、当接部材３ｂを支持部材３ａの先端から少し離れた位置に接着剤３ｃにより接着させるにあたり、当接部材３ｂを支持部材３ａに接着させる接着剤３ｃの量が多くなると、接着剤３ｃが当接部材３ｂの先端部の端面にはみ出し、この接着剤３ｃのはみ出し量が、図３（Ｂ）に示すように、当接部材３ｂの長手方向においてばらついて、当接部材３ｂの先端部と像保持部材１との間に保持される残留物ｔの量が当接部材３ｂの長手方向において変化した。この結果、当接部材３ｂの先端部と像保持部材１との間における摩擦抵抗が当接部材３ｂの長手方向において変化し、これによりクリーニング不良が発生したり、像保持部材１の表面の摩耗にむらが生じて、形成される画像に濃度むらが発生したりする等の問題があった。さらに、この場合においても、当接部材３ｂを像保持部材１の表面に当接させる圧力を高くすると、前記の場合と同様に、像保持部材１と当接部材３ｂの先端部との間の摩擦力により、当接部材３ｂの先端部が移動する像保持部材１によって引き込まれて捲れが生じ、金属製板バネで構成された支持部材３ａの先端部が像保持部材１の表面に衝突して、像保持部材１の表面が傷ついたり、駆動が停止したりするという問題があった。
【００１０】
また、金属製板バネで構成された支持部材３ａの先端と弾性体で構成された当接部材３ｂの先端とが一致するようにして、支持部材３ａに当接部材３ｂを接着剤３ｃによって接着させるにあたり、図４（Ａ）に示すように、支持部材３ａに当接部材３ｂを接着させる接着剤３ｃの量が多くなると、接着剤３ｃが当接部材３ｂの先端部の端面にはみ出して、前記の図３（Ａ），（Ｂ）の場合と同様の問題が生じた。一方、図４（Ｂ）に示すように、接着剤３ｃが当接部材３ｂの先端部の端面にはみ出さないように、接着剤３ｃの量を少なくした場合、当接部材３ｂの先端部が移動する像保持部材１によって引っ張られて、支持部材３ａに十分に接着されていない当接部材３ｂの先端部が捲れて、当接部材３ｂが支持部材３ａから剥がれるという問題があった。
【先行技術文献】
【特許文献】
【００１１】
【特許文献１】特開２００２−２６８４８７号公報
【特許文献２】特開２００８−１１１９７２号公報
【発明の開示】
【発明が解決しようとする課題】
【００１２】
本発明は、金属製板バネで構成された支持部材の先端部に弾性体で構成された当接部材が接着されたクリーニング部材を用い、このクリーニング部材における当接部材を、移動する像保持部材の移動方向と逆方向に向かうようにして像保持部材の表面に当接させて、像保持部材の表面における残留物を除去するクリーニング装置における前記のような問題を解決することを目的とするものである。
【００１３】
すなわち、本発明においては、前記のようなクリーニング装置において、弾性体で構成された当接部材を金属製板バネで構成された支持部材によって像保持部材の表面に安定して十分な当接圧で当接できるようにすると共に、像保持部材の表面に当接させた当接部材の端面に溜まる残留物の量が当接部材の長手方向において変動するのを防止し、像保持部材の表面における残留物を長期にわたって適切に除去できるようにすることを課題とするものである。
【課題を解決するための手段】
【００１４】
本発明におけるクリーニング装置においては、前記の課題を解決するため、金属製板バネで構成された支持部材の先端部に弾性体で構成された当接部材が接着剤によって接着されたクリーニング部材を用い、このクリーニング部材おける当接部材を、像保持部材の移動方向と逆方向に向かうようにして像保持部材の表面に当接させて、像保持部材の表面における残留物を除去するクリーニング装置において、前記の当接部材の先端部が支持部材の先端よりも突出するようにして、前記の当接部材を支持部材の先端部に接着させると共に、この当接部材の先端側におけるエッジ部を像保持部材の表面に当接させ、前記の支持部材の先端が、前記のエッジ部が当接する位置における像保持部材の法線位置よりも像保持部材の移動方向上流側に超えるようにすると共に、像保持部材の表面に当接させる前記の当接部材におけるエッジ部の角度を９０°を超える角度にした。
【００１５】
ここで、前記のように当接部材の先端部が支持部材の先端よりも突出するようにして、当接部材を接着剤によって支持部材の先端部に接着させる場合、接着剤の量が多くなっても、接着剤が当接部材の先端部の端面にはみ出すのが防止される。また、前記のように当接部材の先端側におけるエッジ部を像保持部材の表面に当接させた場合に、前記の支持部材の先端を、前記のエッジ部が当接する位置における像保持部材の法線よりも像保持部材の移動方向上流側に超えるようにすると、この支持部材によって当接部材のエッジ部が像保持部材の表面に適切に押圧されると共に、当接部材の先端部が移動する像保持部材によって引っ張られて捲れるのも抑制されるようになる。
【００１６】
また、本発明におけるクリーニング装置において、前記のように当接部材の先端側におけるエッジ部を像保持部材の表面に当接させた場合において、支持部材の先端が、前記のエッジ部が当接する位置における像保持部材の法線よりも像保持部材の移動方向上流側に超えるようにするにあたり、当接部材におけるエッジ部の角度を９０°を超える角度にすると、支持部材の先端が、前記の像保持部材の法線よりも像保持部材の移動方向上流側に適切に突出されるようにすることができる。
【００１７】
また、本発明におけるクリーニング装置においては、前記の当接部材の先端部が支持部材の先端よりも突出する長さを０．４ｍｍ以上にすることが好ましい。そして、このように当接部材の先端部が支持部材の先端よりも突出する長さを０．４ｍｍ以上にするにあたっては、前記の当接部材におけるエッジ部の角度をα（°）、当接部材のエッジ部を当接させた位置における像保持部材の接線と前記のエッジ部から像保持部材の移動方向下流側に向かう当接部材の下流側対向面との間の当接角をθ（°）、当接部材の厚みをｔとした場合に、
［ｔａｎθ＋ｔａｎ（α−９０°）］×ｔ≧０．４
の条件を満たすようにする。
【００１８】
また、当接部材の先端部を支持部材の先端よりも適切に突出させると共に、当接部材におけるエッジ部が当接する位置における像保持部材の法線よりも、支持部材の先端を像保持部材の移動方向上流側に突出させるようにするためには、前記の当接角θ（°）を１０°〜２０°の範囲にすることが好ましい。
【００１９】
そして、本発明における画像形成装置においては、像保持部材の表面における残留物を除去するクリーニング装置として、本発明における前記のようなクリーニング装置を用いるようにした。
【発明の効果】
【００２０】
本発明におけるクリーニング装置においては、当接部材の先端部が支持部材の先端よりも突出するようにして、当接部材を支持部材の先端部に接着させるようにしたため、前記のように接着剤が当接部材の先端部の端面にはみ出すのが防止されるようになり、また当接部材の先端側におけるエッジ部を像保持部材の表面に当接させた場合に、支持部材の先端が、前記のエッジ部が当接する位置における像保持部材の法線よりも像保持部材の移動方向上流側に超えるようにしたため、この支持部材によって当接部材のエッジ部が像保持部材の表面に適切に押圧されると共に、当接部材の先端部が経時によって変形するのも抑制されるようになる。
【００２１】
この結果、本発明におけるクリーニング装置を用いると、金属製板バネで構成された支持部材によって弾性体で構成された当接部材を像保持部材の表面に十分な圧力で安定して当接することができるようになると共に、接着剤が当接部材の先端部の端面にはみ出すことがなく、像保持部材の表面に当接させた当接部材の端面に溜まる残留物の量が当接部材の長手方向において変動するのが防止され、像保持部材の表面における残留物を長期にわたって適切に除去できるようになる。
【図面の簡単な説明】
【００２２】
【図１】従来のクリーニング装置において、弾性材料で構成された板状のクリーニングブレードからなるクリーニング部材によって像保持部材の表面に残留するトナー等の残留物を除去する状態を示し、（Ａ）はクリーニング部材の先端部を、像保持部材の移動方向と逆方向に向かうようにして像保持部材の表面に圧接させた状態を示した側面側の断面説明図、（Ｂ）はクリーニング部材の先端部が反転して、クリーニング部材がめくれあがった状態を示した側面側の断面説明図である。
【図２】従来のクリーニング装置において、像保持部材の表面に残留するトナー等の残留物を除去するにあたり、弾性体で構成された当接部材が金属製板バネで構成された支持部材の先端よりも突出するようにして、当接部材を支持部材の先端部に接着剤で接着させたクリーニング部材を用いた状態を示した側面側の断面説明図である。
【図３】従来のクリーニング装置において、像保持部材の表面に残留するトナー等の残留物を除去するにあたり、金属製板バネで構成された支持部材の先端部が弾性体で構成された当接部材よりも突出するようにして、当接部材を支持部材に接着剤で接着させたクリーニング部材を用いた状態を示し、（Ａ）は側面側の断面説明図、（Ｂ）は正面側の断面説明図である。
【図４】従来のクリーニング装置において、像保持部材の表面に残留するトナー等の残留物を除去するにあたり、金属製板バネで構成された支持部材の先端と弾性体で構成された当接部材の先端とが一致するようにして、当接部材を支持部材に接着剤で接着させたクリーニング部材を用いた場合において、（Ａ）は接着剤の量が多く、当接部材の先端部の端面に接着剤がはみ出した状態を示した側面側の断面説明図、（Ｂ）は接着剤の量が少なく、当接部材の先端部が像保持部材に引っ張られて当接部材の先端部が捲れる状態を示した側面側の断面説明図である。
【図５】本発明の実施形態に係るクリーニング装置を用いた画像形成装置の使用状態を示した概略断面説明図である。
【図６】前記の実施形態に係るクリーニング装置によって像保持部材の表面に残留している残留物を除去する状態を示し、（Ａ）はクリーニング装置によって感光体の表面に残留している残留物を除去する状態を示した側面側の断面説明図、（Ｂ）はクリーニング装置によって中間転写ベルトの表面に残留している残留物を除去する状態を示した側面側の断面説明図である。
【図７】前記の実施形態に係るクリーニング装置において、金属製板バネで構成された支持部材の先端から弾性体で構成された当接部材が突出するようにして、支持部材の先端部に接着剤によって接着させた当接部材のエッジ部を像保持部材の表面に当接させて、像保持部材の表面に残留している残留物を除去する状態を示し、（Ａ）は当接部材のエッジ部の角度を９０°にした参考例の場合を、（Ｂ）は当接部材のエッジ部の角度を９０°を超える角度にした場合を示した部分拡大説明図である。
【図８】前記の実施形態に係るクリーニング装置において、支持部材の先端部に接着させる当接部材を変更させた変更例を示し、（Ａ）はエッジ部の角度が鈍角になった側面が平行四辺形状の当接部材を用いた状態を示した部分拡大説明図、（Ｂ）はエッジ部の角度が鈍角になった側面が五角形状の当接部材を用いた状態を示した部分拡大説明図である。
【図９】前記の実施形態に係るクリーニング装置において、金属製板バネで構成された支持部材の先端から弾性体で構成された当接部材が突出するようにして、支持部材の先端部に接着剤によって接着させた当接部材のエッジ部を像保持部材の表面に当接させる条件を説明する部分拡大説明図である。
【図１０】実施例１及び比較例１〜３のクリーニング装置において、クリーニング部材に生じる永久歪の評価を行うにあたり、当接部材のエッジ部を感光体の表面に当接させて放置した場合における当接圧の経時変化を示したグラフである。
【発明を実施するための最良の形態】
【００２３】
次に、本発明の実施形態に係るクリーニング装置及び画像形成装置を添付図面に基づいて具体的に説明する。なお、本発明に係るクリーニング装置及び画像形成装置は、下記の実施形態に示したものに限定されず、その要旨を変更しない範囲において適宜変更して実施できるものである。
【００２４】
この実施形態に係る画像形成装置１００においては、図５に示すように、トナー画像が形成される４つの感光体（像保持部材）１０に対応させて、現像剤を収容させた４つの現像装置１３を設け、各現像装置１３においては、それぞれの現像剤中におけるトナーの色彩を異ならせ、黒色，黄色，マゼンダ色，シアン色のトナーを用いるようにしている。
【００２５】
ここで、この画像形成装置１００においては、前記の各感光体１０を回転させて、各感光体１０の表面をそれぞれ帯電装置１１によって帯電させ、このように帯電された各感光体１０に対して、それぞれ潜像形成装置１２により画像形成情報に従った露光を行い、各感光体１０の表面にそれぞれ静電潜像を形成するようにしている。
【００２６】
そして、このように静電潜像が形成された各感光体１０に対して、それぞれ対応する現像装置１３から所定の色彩のトナーを各感光体１０の静電潜像に供給して現像を行い、各感光体１０の表面にそれぞれの色彩のトナー画像を形成するようにしている。
【００２７】
次いで、前記のように各感光体１０に形成された各色彩のトナー画像を、回転ローラー１４ａに架け渡されて回転駆動される無端ベルト状になった中間転写ベルト（像保持部材）１４の表面に、前記の各感光体１０と対向して設けられた各一次転写ローラー１５により順々に一次転写させて、この中間転写ベルト１４の表面にフルカラーのトナー画像を形成するようにしている。
【００２８】
また、前記の中間転写ベルト１４に転写されずに各感光体１０の表面に残留しているトナー等の残留物ｔを、それぞれ第１のクリーニング装置３０によって、各感光体１０の表面から除去するようにしている。
【００２９】
そして、前記のように中間転写ベルト１４の表面に形成されたフルカラーのトナー画像を、この中間転写ベルト１４により二次転写ローラー１６と対向する位置に導くようにしている。
【００３０】
一方、画像形成装置１００の下部に収容された記録シートＳを、給紙ローラー１７により給紙してタイミングローラー１８に送り、このタイミングローラー１８により記録シートＳを中間転写ベルト１４と二次転写ローラー１６との間に導き、中間転写ベルト１４の表面に形成されたトナー画像を前記の二次転写ローラー１６により記録シートＳに転写させるようにしている。また、記録シートＳに転写されずに前記の中間転写ベルト１４の表面に残ったトナー等の残留物ｔを、第２のクリーニング装置３０によって中間転写ベルト１４の表面から除去するようにしている。
【００３１】
そして、前記のようにトナー画像が転写された記録シートＳを定着装置１９に導き、この定着装置１９により、転写された前記のトナー画像を記録シートＳに定着させた後、このようにトナー画像が定着された記録シートＳを排紙ローラー２０により排紙させるようにしている。
【００３２】
ここで、前記のように各感光体１０や中間転写ベルト１４において転写されずに、これらの表面に残留しているトナー等の残留物ｔを除去する第１及び第２の各クリーニング装置３０においては、図６（Ａ），（Ｂ）に示すように、それぞれ金属製板バネで構成された支持部材３１１の先端部に、弾性体で構成された当接部材３１２が接着剤３１３によって接着されたクリーニング部材３１０を用いるようにしている。
【００３３】
そして、前記の支持部材３１１の材料としては、耐腐食性の高いステンレス鋼やリン青銅などが挙げられ、特に、強度が高く疲労の少ないステンレス鋼を用いることが好ましく、またその厚みは、感光体１０や中間転写ベルト１４への良好な追随性を確保するために、０．０３〜０．１ｍｍ程度に設定することが好ましい。また、前記の当接部材３１２の材料としては、従来のクリーニングブレードに使用されているウレタンゴムが挙げられ、また従来のクリーニングブレードとは異なり、支持機能や当接力を与える機能を必要としないため、フッ素ゴム（ＦＫＭ）、スチレンブタジエンゴム（ＳＢＲ）、アクリロニトリルゴム（ＮＢＲ）等を用いることもでき、好ましくは、耐摩耗性、耐オゾン性に優れているものを用いるようにする。
【００３４】
そして、このクリーニング装置３０においては、クリーニング部材３１０における前記の支持部材３１１の先端部に接着された当接部材３１２の先端部が、感光体１０や中間転写ベルト１４が移動する方向と逆方向に向かうようにして、この当接部材３１２の先端側におけるエッジ部３１２ａを、感光体１０や中間転写ベルト１４の表面に当接させ、感光体１０や中間転写ベルト１４の表面に残留しているトナー等の残留物ｔを、このクリーニング部材３１０によって感光体１０や中間転写ベルト１４の表面から除去してハウジング３２内に回収し、このハウジング３２に設けられたスクリュウ３３により回収したトナー等の残留物ｔを搬送させて、クリーニング装置３０内から排出させるようにしている。
【００３５】
ここで、この実施形態におけるクリーニング装置３０において、前記のクリーニング部材３１０として、図７（Ａ）に示す参考例においては、前記の当接部材３１２の先端部が支持部材３１１の先端よりも突出するようにして、当接部材３１２を接着剤３１３によって支持部材３１１の先端部に接着させると共に、感光体１０や中間転写ベルト１４の表面に当接させる当接部材３１２の先端側におけるエッジ部３１２ａの角度αを９０°にし、前記の支持部材３１１の先端を、エッジ部３１２ａの当接位置における感光体１０や中間転写ベルト１４の法線ｘの位置よりも感光体１０や中間転写ベルト１４の移動方向上流側に越えるようにしたものを用いるようにしている。
【００３６】
また、図７（Ｂ）においては、前記のクリーニング部材３１０として、前記の当接部材３１２の先端部が支持部材３１１の先端よりも突出するようにして、当接部材３１２を接着剤３１３によって支持部材３１１の先端部に接着させると共に、感光体１０や中間転写ベルト１４の表面に当接させる当接部材３１２の先端側におけるエッジ部３１２ａの角度αを９０°を超える鈍角にし、前記の支持部材３１１の先端を、エッジ部３１２ａの当接位置における感光体１０や中間転写ベルト１４の法線ｘの位置よりも感光体１０や中間転写ベルト１４の移動方向上流側に越えるようにしたものを用いるようにしている。
【００３７】
そして、図７（Ａ），（Ｂ）に示すように、当接部材３１２の先端部が支持部材３１１の先端よりも突出するようにして、当接部材３１２を接着剤３１３によって支持部材３１１の先端部に接着させると、前記のように接着剤３１３が当接部材３１２の先端部の端面３１２ｃにはみ出すのが防止されるようになる。また、当接部材３１２の先端側におけるエッジ部３１２ａを、感光体１０や中間転写ベルト１４の表面に当接させた場合において、支持部材３１１の先端が、エッジ部３１２ａの当接位置における感光体１０や中間転写ベルト１４の法線ｘの位置よりも感光体１０や中間転写ベルト１４の移動方向上流側に超えるようにすると、この支持部材３１１によって当接部材３１２のエッジ部３１２ａが感光体１０や中間転写ベルト１４の表面に適切に押圧されるようになる。
【００３８】
ここで、図７（Ｂ）に示す実施形態においては、前記の当接部材３１２として、エッジ部３１２ａの角度αが鈍角になった側面が台形状の当接部材３１２を用いるようにしたが、当接部材３１２の形状は特にこのようなものに限定されず、当接部材３１２の先端側におけるエッジ部３１２ａを感光体１０や中間転写ベルト１４の表面に当接させた場合において、支持部材３１１の先端が、エッジ部３１２ａの当接位置における感光体１０や中間転写ベルト１４の法線ｘの位置よりも感光体１０や中間転写ベルト１４の移動方向上流側に超えるようになっていればよい。例えば、図８（Ａ）に示すように、エッジ部３１２ａの角度αが鈍角になった側面が平行四辺形状の当接部材３１２や、図８（Ｂ）に示すように、エッジ部３１２ａの角度αが鈍角になった側面が五角形状の当接部材３１２を用いることもできる。
【００３９】
また、前記のように当接部材３１２の先端部が支持部材３１１の先端よりも突出するようにして、当接部材３１２を接着剤３１３によって支持部材３１１の先端部に接着させると共に、当接部材３１２の先端側におけるエッジ部３１２ａの角度αを９０°を超える鈍角にし、このエッジ部３１２ａの当接位置における感光体１０や中間転写ベルト１４の法線ｘの位置よりも、前記の支持部材３１１の先端を、感光体１０や中間転写ベルト１４の移動方向上流側に超えるようにした場合において、当接部材３１２のエッジ部３１２ａを当接させた位置における感光体１０や中間転写ベルト１４の接線ｙとエッジ部３１２ａから感光体１０や中間転写ベルト１４の移動方向下流側に向かう当接部材３１２の下流側対向面３１２ｂとの間の当接角をθ（°）、当接部材の厚みをｔ（ｍｍ）とした場合に、
［ｔａｎθ＋ｔａｎ（α−９０°）］×ｔ≧０．４
の条件を満たすようにし、当接部材３１２の先端部が支持部材３１１の先端よりも突出する長さを０．４ｍｍ以上することが好ましい。
【００４０】
このようにすると、感光体１０や中間転写ベルト１４の法線ｘの位置よりも、支持部材３１１の先端が感光体１０や中間転写ベルト１４の移動方向上流側に超えるようにした状態で、当接部材３１２の先端部が支持部材３１１の先端よりも突出するようにして、当接部材３１２を接着剤３１３によって支持部材３１１の先端部に接着させる際に、接着剤３１３が当接部材３１２の先端部の端面３１２ｃにはみ出すのをより一層適切に防止できるようになる。
【００４１】
次に、市販の複合機（コニカミノルタ社製：ｂｉｚｈｕｂ  Ｃ２８４ｅ）において、感光体の表面に残留する残留物を除去させるクリーニング装置を改造し、クリーニング装置に使用するクリーニング部材を変更させて実験を行い、クリーニング部材に生じる永久歪、クリーニング不良、形成された画像における濃度むらの評価を行った。
【００４２】
ここで、参考例１及び比較例１，２においては、クリーニング部材として、厚みが８０μｍ、自由長が１０ｍｍ、幅が３４０ｍｍになったＳＵＳ３０４製の支持部材に、厚みが２ｍｍ、長さが８ｍｍ、幅が３４０ｍｍになったウレタンゴムで構成された当接部材を接着させたものを用い、また比較例３においては、クリーニング部材として、厚みが２ｍｍ、自由長が１０ｍｍ、幅が３４０ｍｍになったウレタンゴムで構成されたクリーニングブレードを用い、感光体の表面に当接させる参考例１及び比較例１，２の当接部材のエッジ部の角度及び比較例３のクリーニングブレードのエッジ部の角度をそれぞれ９０°にした。
【００４３】
また、参考例１及び比較例１，２におけるクリーニング部材において、前記のように支持部材に当接部材を接着剤により接着させて、当接部材のエッジ部を感光体の表面に当接させるにあたり、参考例１においては、支持部材の先端よりも当接部材の先端部を０．５ｍｍ突出させて、当接部材のエッジ部の当接位置における感光体の法線位置よりも、支持部材の先端が感光体の移動方向上流側に超えるようにした。一方、比較例１においては、支持部材の先端より当接部材の先端部を１．０ｍｍ突出させる一方、この支持部材の先端が、当接部材のエッジ部の当接位置における感光体の法線位置よりも、支持部材の先端が感光体の移動方向上流側に超えない下流側に位置するようにした。また、比較例２においては、支持部材の先端と当接部材の先端とを一致させ、当接部材のエッジ部の当接位置における感光体の法線位置よりも、支持部材の先端が感光体の移動方向上流側に突出するようにした。なお、比較例２のクリーニング部材においては、前記の図４（Ａ）に示すように、接着剤が当接部材の先端部の端面にはみ出していた。
【００４４】
そして、前記のクリーニング部材を用いた参考例１及び比較例１〜３のクリーニング装置において、クリーニング部材に生じる永久歪の評価を行うにあたっては、温度４０℃，湿度９５％の高温高湿の環境条件下において、前記のようにエッジ部を感光体の表面に当接させる当接圧を３０Ｎ/ｍにすると共に、前記の当接角θを１５°に設定し、この条件で約２５０時間放置して、それぞれ当接圧の変化を調べ、その結果を図１０に示すと共に、約２５０時間放置した後における当接圧の低下が１５％未満である場合を○、当接圧の低下が１５％以上である場合を×として、下記の表１に示した。
【００４５】
また、参考例１及び比較例１〜３のクリーニング装置において、クリーニング不良及び濃度ムラの評価については、温度２３℃，湿度５５％の環境条件下において、エッジ部を感光体の表面に当接させる当接圧を２３Ｎ/ｍにすると共に、前記の当接角θを１５°に設定し、印字率が５％になった画像を２枚間欠で５万枚印字を行った。そして、クリーニング不良（表では「ＣＬ不良」と記載。）については、クリーニング不良がなく良好な画像が得られた場合を○、クリーニング不良が画像に顕れた場合を×とし、また濃度ムラについては、濃度ムラの発生が確認されない良好な画像が得られた場合を○、画像に濃度ムラが確認された場合を×として、それぞれ下記の表１に示した。
【００４６】
【表１】
0006308202.tif 000002
【００４７】
この結果から明らかなように、支持部材の先端より当接部材の先端部が突出されると共に、当接部材のエッジ部の当接位置における感光体の法線位置よりも、支持部材の先端が感光体の移動方向上流側に超えて設けられた参考例１のクリーニング装置においては、永久歪、クリーニング不良、濃度むらに関する評価は何れも良好であった。
【００４８】
これに対して、支持部材の先端より当接部材の先端部が突出される一方、支持部材の先端が当接部材のエッジ部の当接位置における感光体の法線を超えない比較例１のクリーニング装置や、クリーニング部材にクリーニングブレードを用いた比較例３のクリーニング装置においては、クリーニング部材に生じる永久歪が大きくなっていた。また、支持部材の先端と当接部材の先端とが同じ位置で、接着剤が当接部材の先端部の端面にはみ出していた比較例２のクリーニング装置においては、クリーニング不良や濃度むらが発生していた。
【００４９】
なお、前記の参考例１においては、エッジ部の角度が９０°の当接部材を用いるようにしたが、エッジ部の角度が９０°を越える鈍角の当接部材を用いた実施例の場合には、参考例１のものと同様の効果が得られると共に、当接部材の先端部を支持部材の先端よりも突出させると共に、当接部材のエッジ部の当接位置における感光体の法線位置よりも、支持部材の先端を感光体の移動方向上流側に突出させることが、より簡単に行えるようになる。
【符号の説明】
【００５０】
１０  感光体（像保持部材）
１１  帯電装置
１２  潜像形成装置
１３  現像装置
１４  中間転写ベルト（像保持部材）、１４ａ  回転ローラー
１５  一次転写ローラー
１６  二次転写ローラー
１７  給紙ローラー
１８  タイミングローラー
１９  定着装置
２０  排紙ローラー
３０  第１及び第２のクリーニング装置
３２  ハウジング
３３  スクリュウ
１００  画像形成装置
３１０  クリーニング部材
３１１  支持部材
３１２  当接部材、３１２ａ  エッジ部、３１２ｂ  下流側対向面、３１２ｃ  端面
３１３  接着剤
Ｓ  記録シート
ｔ  残留物
ｘ  法線、ｙ  接線
α  当接部材のエッジ部の角度
θ  当接角
【図１】
0006308202.tif 000003
【図２】
0006308202.tif 000004
【図３】
0006308202.tif 000005
【図４】
0006308202.tif 000006
【図５】
0006308202.tif 000007
【図６】
0006308202.tif 000008
【図７】
0006308202.tif 000009
【図８】
0006308202.tif 000010
【図９】
0006308202.tif 000011
【図１０】
0006308202.tif 000012